(57)【特許請求の範囲】
【請求項１】
リレーノードが無線基地局に接続する接続方法であって、
前記無線基地局が、前記無線基地局の周辺に位置する周辺無線基地局から、前記無線基地局の周辺に位置する周辺無線基地局又は周辺リレーノードで使用されている所定パラメータを取得する工程Ａと、
前記無線基地局が、前記リレーノードから、前記リレーノードの能力情報を受信する工程Ｂと、
前記無線基地局が、取得された所定パラメータ及び受信された能力情報に基づいて、前記リレーノード配下のセルで用いるＰＣＩ、物理ランダムアクセスチャネルの設定情報、該リレーノードにおける参照信号の送信電力、帯域幅、トラッキングエリアコード、及び、該リレーノードにおける受信雑音指数の少なくとも１つのパラメータを決定し、前記リレーノードと前記無線基地局との接続手順において、該リレーノードに対して、決定されたパラメータを通知する工程Ｃとを有することを特徴とする接続方法。
【請求項２】
前記工程Ｃにおいて、前記無線基地局は、ＲＲＣメッセージを介して、前記通知を行うことを特徴とする請求項１に記載の接続方法。
【請求項３】
リレーノードが接続可能な無線基地局であって、
前記無線基地局の周辺に位置する周辺無線基地局から、前記無線基地局の周辺に位置する周辺無線基地局又は周辺リレーノードで使用されている所定パラメータを取得するように構成されている取得部と、
前記リレーノードから、前記リレーノードの能力情報を受信するように構成されている受信部と、
取得された所定パラメータ及び受信された能力情報に基づいて、前記リレーノード配下のセルで用いるＰＣＩ、物理ランダムアクセスチャネルの設定情報、該リレーノードにおける参照信号の送信電力、帯域幅、トラッキングエリアコード、及び、該リレーノードにおける受信雑音指数の少なくとも１つのパラメータを決定するように構成されている決定部と、
前記リレーノードと前記無線基地局との接続手順において、該リレーノードに対して、決定されたパラメータを通知するように構成されている通知部とを具備することを特徴とする無線基地局。
【請求項４】
前記通知部は、ＲＲＣメッセージを介して、前記通知を行うように構成されていることを特徴とする請求項３に記載の無線基地局。
【発明の詳細な説明】
【技術分野】
【０００１】
本発明は、接続方法及び無線基地局に関する。
【背景技術】
【０００２】
ＬＴＥ（Ｌｏｎｇ  Ｔｅｒｍ  Ｅｖｏｌｕｔｉｏｎ）-Ａｄｖａｎｃｅｄ方式では、無線基地局ＤｅＮＢ（Ｄｏｎｅｒ  ｅＮＢ）に対して、Ｕｎインターフェイスを介して接続可能なリレーノードＲＮ（Ｒｅｌａｙ  Ｎｏｄｅ）を用いることができる。
【０００３】
リレーノードＲＮは、Ｕｎインターフェイスを介して無線基地局ＤｅＮＢとの間で無線通信を行い、ＲＮ-Ｕｕインターフェイスを介して移動局ＵＥとの間で無線通信を行うように構成されている。
【先行技術文献】
【非特許文献】
【０００４】
【非特許文献１】３ＧＰＰ  ＴＳ３６.３００（Ｖ１０.０.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｐｈｙｓｉｃａｌ  Ｃｈａｎｎｅｌｓ」、２０１０年６月
【非特許文献２】３ＧＰＰ  ＴＲ３６.８１４（Ｖ９.０.０）、「Ｆｕｒｔｈｅｒ  Ａｄｖａｎｃｅｍｅｎｔｓ  ｆｏｒ  Ｅ-ＵＴＲＡ  Ｐｈｙｓｉｃａｌ  Ｌａｙｅｒ  Ａｓｐｅｃｔｓ」、２０１０年３月
【非特許文献３】３ＧＰＰ  ＴＳ３６.３３１（Ｖ９.３.０）、「Ｒａｄｉｏ Ｒｅｓｏｕｒｃｅ  Ｃｏｎｔｒｏｌ  （ＲＲＣ）；  Ｐｒｏｔｏｃｏｌ  ｓｐｅｃｉｆｉｃａｔｉｏｎ」、２０１０年６月
【発明の概要】
【発明が解決しようとする課題】
【０００５】
ここで、ＬＴＥ-Ａｄｖａｎｃｅｄ方式では、通信事業者が、リレーノード配下のセルで用いるパラメータについて、Ｏ＆Ｍ（Ｏｐｅｒａｔｉｏｎ  ＆  Ｍａｉｎｔｅｎａｎｃｅ）サーバを用いて設定することが想定されている。
【０００６】
しかしながら、リレーノードＲＮは、カバレッジエリアの拡大等の目的で設置されることが想定されており、設置されるリレーノードＲＮの数が膨大になる可能性もある。
【０００７】
したがって、通信事業者が、全てのリレーノードＲＮ配下のセルで用いるパラメータについて設定することは困難となる可能性がある。
【０００８】
また、かかるパラメータは、かかるリレーノードＲＮの周辺の干渉状況や、かかるリレーノードＲＮの周辺の無線基地局ｅＮＢ/ＤｅＮＢやリレーノードＲＮで使用されているパラメータを考慮して設定される必要があり、通信事業者が、かかる状況を考慮して、全てのリレーノードＲＮ配下のセルで用いるパラメータについて設定することは困難である。
【０００９】
そこで、本発明は、上述の課題に鑑みてなされたものであり、周辺の状況を考慮してリレーノードＲＮ配下のセルで用いるパラメータを決定することができる接続方法及び無線基地局を提供することを目的とする。
【課題を解決するための手段】
【００１０】
本発明の第１の特徴は、リレーノードが無線基地局に接続する接続方法であって、前記無線基地局が、前記リレーノードに対して、該リレーノード配下のセルで用いるＰＣＩ、物理ランダムアクセスチャネルの設定情報、該リレーノードにおける参照信号の送信電力、帯域幅、トラッキングエリアコード、及び、該リレーノードにおける受信雑音指数の少なくとも１つを通知する工程を有することを要旨とする接続方法。
【００１１】
本発明の第２の特徴は、リレーノードが接続可能な無線基地局であって、前記リレーノードと前記無線基地局との接続手順において、該リレーノードに対して、該リレーノード配下のセルで用いるＰＣＩ、物理ランダムアクセスチャネルの設定情報、該リレーノードにおける参照信号の送信電力、帯域幅、トラッキングエリアコード、及び、該リレーノードにおける受信雑音指数の少なくとも１つを通知するように構成されている通知部を具備することを要旨とする。
【発明の効果】
【００１２】
以上説明したように、本発明によれば、周辺の状況を考慮してリレーノードＲＮ配下のセルで用いるパラメータを決定することができる接続方法及び無線基地局を提供することができる。
【図面の簡単な説明】
【００１３】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムで用いられる「ＰＲＡＣＨ-Ｃｏｎｆｉｇ」の一例を示す図である。
【図４】本発明の第１の実施形態に係る移動通信システムの動作を示すシーケンス図である。
【図５】本発明の第１の実施形態に係る移動通信システムの動作を示すフローチャートである。
【発明を実施するための形態】
【００１４】
（本発明の第１の実施形態に係る移動通信システム）
図１乃至図５を参照して、本発明の第１の実施形態に係る移動通信システムについて説明する。
【００１５】
本実施形態に係る移動通信システムは、ＬＴＥ-Ａｄｖａｎｃｅｄ方式の移動通信システムであって、図１に示すように、移動管理ノードＭＭＥ（Ｍｏｂｉｌｉｔｙ  Ｍａｎａｇｅｍｅｎｔ  Ｅｎｔｉｔｙ）と、無線基地局ＤｅＮＢと、リレーノードＲＮと、Ｏ＆Ｍ（Ｏｐｅｒａｔｉｏｎ  ＆  Ｍａｉｎｔｅｎａｎｃｅ）サーバとを具備している。
【００１６】
リレーノードＲＮは、Ｕｎインターフェイスを介して無線基地局ＤｅＮＢとの間で無線通信を行い、Ｕｕインターフェイスを介して移動局ＵＥとの間で無線通信を行うように構成されている。
【００１７】
図２に示すように、無線基地局ＤｅＮＢは、取得部１１と、管理部１２と、受信部１３と、決定部１４と、送信部１５とを具備している。
【００１８】
取得部１１は、Ｘ２インターフェイスを介して、周辺の無線基地局ｅＮＢ/ＤｅＮＢから、周辺の無線基地局ｅＮＢ/ＤｅＮＢやリレーノードＲＮで使用されている所定パラメータを取得するように構成されている。
【００１９】
例えば、取得部１１は、所定パラメータとして、周辺の無線基地局ｅＮＢ/ＤｅＮＢやリレーノードＲＮ配下のセルで使用されているＰＣＩ（Ｐｈｙｓｉｃａｌ  Ｃｅｌｌ  Ｉｄｅｎｔｉｔｙ）やＰＲＡＣＨ-Ｃｏｎｆｉｇや帯域幅やＴＡＣ（Ｔｒａｃｋｉｎｇ  Ａｒｅａ  Ｃｏｄｅ）等を取得するように構成されている。
【００２０】
また、取得部１１は、所定パラメータとして、周辺の無線基地局ｅＮＢ/ＤｅＮＢやリレーノードＲＮ配下のセルにおける干渉量を取得するように構成されている。
【００２１】
取得部１１は、周辺の無線基地局ｅＮＢ/ＤｅＮＢやリレーノードＲＮ配下のセルで使用されている上述の所定パラメータ（干渉量を含む）について、ＴＡＣを除き、「Ｘ２  Ａｐｐｌｉｃａｔｉｏｎ  Ｐｒｏｔｏｃｏｌ（ＴＳ３６.４２３仕様参照）」を用いて取得することができる。
【００２２】
管理部１２は、取得部１１によって取得された所定パラメータを管理するように構成されている。
【００２３】
受信部１３は、リレーノードＲＮと無線基地局ＤｅＮＢとの間の接続手順において、リレーノードＲＮや移動管理ノードＭＭＥによって送信されるメッセージを受信するように構成されている。
【００２４】
例えば、受信部１３は、リレーノードＲＮと無線基地局ＤｅＮＢとの間の接続手順において、リレーノードＲＮから、「ＲＲＣ  ＲＮ（ＵＥ）  Ｃａｐａｂｉｌｉｔｙ  Ｉｎｆｏｒｍａｔｉｏｎ」を介して、Ｕｎインターフェイスが用いられる無線区間（以下、Ｕｎ無線区間）においてサポートしている帯域幅や、ＲＮ-Ｕｕインターフェイスが用いられる無線区間（以下、ＲＮ-Ｕｕ無線区間）においてサポートしている帯域幅や、「Ｈａｌｆ  Ｄｕｐｌｅｘ  ｉｎｂａｎｄ  ｒｅｌａｙ（Ｔｙｐｅ  １  ｒｅｌａｙ）」をサポートしているか否かについての情報や、「Ｆｕｌｌ  Ｄｕｐｌｅｘ  ｉｎｂａｎｄ  ｒｅｌａｙ（Ｔｙｐｅ  １ｂ  ｒｅｌａｙ）」をサポートしているか否かについての情報等といったリレーノードＲＮの能力情報を取得するように構成されている。
【００２５】
ここで、「Ｈａｌｆ  Ｄｕｐｌｅｘ  ｉｎｂａｎｄ  ｒｅｌａｙ」は、リレーノードＲＮにおいて、ＲＮ-Ｕｕ無線区間及びＵｎ無線区間において同一の運用周波数及び帯域幅を用いて、ＲＮ-Ｕｕ無線区間における送信タイミングとＵｎ無線区間における受信タイミングとを時分割する運用である。
【００２６】
一方、「Ｆｕｌｌ  Ｄｕｐｌｅｘ  ｉｎｂａｎｄ  ｒｅｌａｙ」は、リレーノードＲＮにおいて、ＲＮ-Ｕｕ無線区間及びＵｎ無線区間において同一の運用周波数及び帯域幅を用いて、ＲＮ-Ｕｕ無線区間における送信タイミングとＵｎ無線区間における受信タイミングとを時分割しない運用である。
【００２７】
かかる「Ｆｕｌｌ  Ｄｕｐｌｅｘ  ｉｎｂａｎｄ  ｒｅｌａｙ」をサポートしているリレーノードＲＮは、高性能なフィルタを具備していたり、送信アンテナと受信アンテナとを空間分割していたりする高性能なリレーノードＲＮである。
【００２８】
なお、「ｏｕｔｂａｎｄ  ｒｅｌａｙ」は、リレーノードＲＮにおいて、ＲＮ-Ｕｕ無線区間及びＵｎ無線区間において異なる運用周波数及び帯域幅を用いる運用である。
【００２９】
決定部１４は、管理部１２によって管理されている上述の所定パラメータや、上述のリレーノードＲＮの能力情報等に基づいて、リレーノードＲＮ配下のセルで用いるＰＣＩや、ＰＲＡＣＨ-Ｃｏｎｆｉｇや、リレーノードＲＮにおけるＲＳ（Ｒｅｆｅｒｅｎｃｅ  Ｓｉｇｎａｌ）の送信電力や、帯域幅、ＴＡＣや、リレーノードＲＮにおける受信Ｎｏｉｓｅ  Ｆｉｇｕｒｅ等を決定するように構成されている。
【００３０】
また、決定部１４は、上述のリレーノードＲＮの能力情報及びＯ＆Ｍサーバから取得したＵｎ無線区間において使用可能な帯域幅等に基づいて、リレーノードＲＮにおいて、「ｏｕｔｂａｎｄ  ｒｅｌａｙ」、「Ｈａｌｆ  Ｄｕｐｌｅｘ  ｉｎｂａｎｄ  ｒｅｌａｙ」及び「Ｆｕｌｌ  Ｄｕｐｌｅｘ  ｉｎｂａｎｄ  ｒｅｌａｙ」のいずれを用いるかについて決定するように構成されている。
【００３１】
さらに、決定部１４は、上述のリレーノードＲＮの能力情報及びＯ＆Ｍサーバから取得したＵｎ無線区間において使用可能な帯域幅等に基づいて、ＲＮ-Ｕｕ無線区間において使用する運用周波数及び帯域幅について決定するように構成されていてもよい。
【００３２】
送信部１５は、リレーノードＲＮと無線基地局ＤｅＮＢとの間の接続手順において、リレーノードＲＮや移動管理ノードＭＭＥに対して、所定メッセージを送信するように構成されている。
【００３３】
例えば、送信部１５は、リレーノードＲＮと無線基地局ＤｅＮＢとの間の接続手順において、リレーノードＲＮに対して、「ＲＲＣ  Ｃｏｎｎｅｃｔｉｏｎ  Ｒｅｃｏｎｆｉｇｕｒａｔｉｏｎ」を介して、リレーノードＲＮ配下のセルで用いるＰＣＩや、ＰＲＡＣＨ-Ｃｏｎｆｉｇや、リレーノードＲＮにおけるＲＳの送信電力や、帯域幅、ＴＡＣや、リレーノードＲＮにおける受信Ｎｏｉｓｅ  Ｆｉｇｕｒｅ等の少なくとも１つを通知するように構成されている。
【００３４】
ここで、送信部１５は、リレーノードＲＮに対して、新規に規定されたＲＲＣメッセージを介して、リレーノードＲＮ配下のセルで用いるＰＣＩや、ＰＲＡＣＨ-Ｃｏｎｆｉｇや、リレーノードＲＮにおけるＲＳの送信電力や、帯域幅、ＴＡＣや、リレーノードＲＮにおける受信Ｎｏｉｓｅ  Ｆｉｇｕｒｅ等の少なくとも１つを通知するように構成されていてもよい。
【００３５】
図３に、かかるＰＲＡＣＨ-Ｃｏｎｆｉｇの一例を示す。
【００３６】
また、送信部１５は、リレーノードＲＮと無線基地局ＤｅＮＢとの間の接続手順において、リレーノードＲＮに対して、「ＲＲＣ  Ｃｏｎｎｅｃｔｉｏｎ  Ｒｅｃｏｎｆｉｇｕｒａｔｉｏｎ」を介して、ＲＮ-Ｕｕ無線区間において使用する運用周波数及び帯域幅について通知するように構成されていてもよい。
【００３７】
また、送信部１５は、リレーノードＲＮに対して、新規に規定されたＲＲＣメッセージを介して、ＲＮ-Ｕｕ無線区間において使用する運用周波数及び帯域幅について通知するように構成されていてもよい。
【００３８】
以下、図４乃至図５を参照して、本実施形態に係る移動通信システムにおけるリレーノードＲＮと無線基地局ＤｅＮＢとの接続手順について説明する。
【００３９】
図４及び図５に示すように、ステップＳ１００１（Ｓ１０１）において、リレーノードＲＮは、移動局ＵＥの機能と同様に、セルサーチ処理を行い、Ｕｎ無線区間において、無線基地局ＤｅＮＢによって提供されているキャリアを選択し、無線基地局ＤｅＮＢに対して、「ＲＲＣ  Ｃｏｎｎｅｃｔｉｏｎ  Ｒｅｑｕｅｓｔ」を送信する。
【００４０】
ステップＳ１００２において、無線基地局ＤｅＮＢは、リレーノードＲＮに対して、「ＲＲＣ  Ｃｏｎｎｅｃｔｉｏｎ  Ｓｅｔｕｐ」を送信する。
【００４１】
ステップＳ１００３において、リレーノードＲＮは、無線基地局ＤｅＮＢに対して、「Ａｔｔａｃｈ  Ｒｅｑｕｅｓｔ」を含む「ＲＲＣ  Ｃｏｎｎｅｃｔｉｏｎ  Ｓｅｔｕｐ  Ｃｏｍｐｌｅｔｅ」を送信する。
【００４２】
ステップＳ１００４において、無線基地局ＤｅＮＢは、移動管理ノードＭＭＥに対して、「Ｉｎｉｔｉａｌ  ＵＥ  Ｍｅｓｓａｇｅ」を送信する。
【００４３】
ステップＳ１００５において、「Ａｕｔｈｅｎｔｉｃａｔｉｏｎ/Ｓｅｃｕｒｉｔｙ」処理が行われる。
【００４４】
ステップＳ１００６において、移動管理ノードＭＭＥは、無線基地局ＤｅＮＢに対して、「Ａｔｔａｃｈ  Ａｃｃｅｐｔ」を含む「Ｉｎｉｔｉａｌ  Ｃｏｎｔｅｘｔ  Ｓｅｔｕｐ  Ｒｅｑｕｅｓｔ」を送信する。
【００４５】
ステップＳ１００７において、無線基地局ＤｅＮＢは、リレーノードＲＮに対して、「ＲＲＣ  ＵＥ（ＲＮ）  Ｃａｐａｂｉｌｉｔｙ  Ｅｎｑｕｉｒｙ」を送信する。
【００４６】
ステップＳ１００８において、リレーノードＲＮは、無線基地局ＤｅＮＢに対して、「ＲＲＣ  ＵＥ（ＲＮ）  Ｃａｐａｂｉｌｉｔｙ  Ｉｎｆｏｒｍａｔｉｏｎ」を送信する。
【００４７】
ステップＳ１００９において、無線基地局ＤｅＮＢは、移動管理ノードＭＭＥに対して、「ＵＥ（ＲＮ）  Ｃａｐａｂｉｌｉｔｙ  Ｉｎｆｏ  Ｉｎｄｉｃａｔｉｏｎ」を送信する。
【００４８】
無線基地局ＤｅＮＢは、リレーノードＲＮに対して、ステップＳ１０１０において、「Ｓｅｃｕｒｉｔｙ  Ｍｏｄｅ  Ｃｏｍｍａｎｄ」を送信し、ステップＳ１０１１において、「Ａｔｔａｃｈ  Ａｃｃｅｐｔ」を含む「ＲＲＣ  Ｃｏｎｎｅｃｔｉｏｎ  Ｒｅｃｏｎｆｉｇｕｒａｔｉｏｎ」を送信する。
【００４９】
ここで、無線基地局ＤｅＮＢは、「ＲＲＣ  ＵＥ（ＲＮ）  Ｃａｐａｂｉｌｉｔｙ  Ｉｎｆｏｒｍａｔｉｏｎ」を受信すると、図５に示すように、ステップＳ１０３において、トラフィック分散や干渉量の低減のために、或いは、「ｏｕｔｂａｎｄ  ｒｅｌａｙ」又は「ｉｎｂａｎｄ  ｒｅｌａｙ」を行わせるために、リレーノードＲＮを、Ｕｎ無線区間における別のキャリアに繊維させるべきであるか否かについて決定する。
【００５０】
「Ｙｅｓ」の場合、本動作は、ステップＳ１０４に進み、「Ｎｏ」の場合、本動作は、ステップＳ１０５に進む。
【００５１】
ステップＳ１０４において、無線基地局ＤｅＮＢは、リレーノードＲＮに対して、「ＲＲＣ Ｒｅｌｅａｓｅ  ｗｉｔｈ  Ｒｅｄｉｒｅｃｔｉｏｎ」を送信することによって、リレーノードＲＮを別のキャリアに遷移させる。その後、本動作は、ステップＳ１０２に戻る。
【００５２】
一方、ステップＳ１０５において、無線基地局ＤｅＮＢは、上述のリレーノードＲＮの能力情報及びＯ＆Ｍサーバから取得したＵｎ無線区間において使用可能な帯域幅等に基づいて、リレーノードＲＮにおいて、「ｏｕｔｂａｎｄ  ｒｅｌａｙ」を用いることができるか否かについて決定する。
【００５３】
「Ｙｅｓ」の場合、本動作は、ステップＳ１０６に進み、「Ｎｏ」の場合、本動作は、ステップＳ１０７に進む。
【００５４】
ステップＳ１０６（ステップＳ１０１１）において、無線基地局ＤｅＮＢは、「ｏｕｔｂａｎｄ  ｒｅｌａｙ」を行うために、ＲＮ-Ｕｕ無線区間で用いる運用周波数及び帯域幅を決定し、「ＲＲＣ  Ｃｏｎｎｅｃｔｉｏｎ  Ｒｅｃｏｎｆｉｇｕｒａｔｉｏｎ」に含める。
【００５５】
ここで、無線基地局ＤｅＮＢは、上述のように決定したリレーノードＲＮ配下のセルで用いるＰＣＩや、ＰＲＡＣＨ-Ｃｏｎｆｉｇや、リレーノードＲＮにおけるＲＳ（Ｒｅｆｅｒｅｎｃｅ  Ｓｉｇｎａｌ）の送信電力や、帯域幅、ＴＡＣや、リレーノードＲＮにおける受信Ｎｏｉｓｅ  Ｆｉｇｕｒｅの少なくとも１つを含めてもよい。
【００５６】
また、ステップＳ１０７において、無線基地局ＤｅＮＢは、上述のリレーノードＲＮの能力情報等に基づいて、リレーノードＲＮにおいて、「Ｆｕｌｌ  Ｄｕｐｌｅｘ  ｉｎｂａｎｄ  ｒｅｌａｙ」を用いることができるか否かについて決定する。
【００５７】
「Ｙｅｓ」の場合、本動作は、ステップＳ１０８に進み、「Ｎｏ」の場合、本動作は、ステップＳ１０９に進む。
【００５８】
ステップＳ１０８（ステップＳ１０１１）において、無線基地局ＤｅＮＢは、「Ｆｕｌｌ  Ｄｕｐｌｅｘ  ｉｎｂａｎｄ  ｒｅｌａｙ」を行うために、Ｕｎ無線区間で用いる運用周波数及び帯域幅と同じ運用周波数及び帯域幅を、ＲＮ-Ｕｕ無線区間で用いる運用周波数及び帯域幅として「ＲＲＣ  Ｃｏｎｎｅｃｔｉｏｎ  Ｒｅｃｏｎｆｉｇｕｒａｔｉｏｎ」に含める。
【００５９】
ここで、無線基地局ＤｅＮＢは、上述のように決定したリレーノードＲＮ配下のセルで用いるＰＣＩや、ＰＲＡＣＨ-Ｃｏｎｆｉｇや、リレーノードＲＮにおけるＲＳ（Ｒｅｆｅｒｅｎｃｅ  Ｓｉｇｎａｌ）の送信電力や、帯域幅、ＴＡＣや、リレーノードＲＮにおける受信Ｎｏｉｓｅ  Ｆｉｇｕｒｅの少なくとも１つを含めてもよい。
【００６０】
また、ステップＳ１０９において、無線基地局ＤｅＮＢは、上述のリレーノードＲＮの能力情報等に基づいて、リレーノードＲＮにおいて、「Ｈａｌｆ  Ｄｕｐｌｅｘ  ｉｎｂａｎｄ  ｒｅｌａｙ」を用いることができるか否かについて決定する。
【００６１】
「Ｙｅｓ」の場合、本動作は、ステップＳ１１０に進み、「Ｎｏ」の場合、本動作は、ステップＳ１１１に進む。
【００６２】
ステップＳ１１０（ステップＳ１０１１）において、無線基地局ＤｅＮＢは、「Ｈａｌｆ  Ｄｕｐｌｅｘ  ｉｎｂａｎｄ  ｒｅｌａｙ」を行うために、Ｕｎ無線区間で用いる運用周波数及び帯域幅と同じ運用周波数及び帯域幅を、ＲＮ-Ｕｕ無線区間で用いる運用周波数及び帯域幅として「ＲＲＣ  Ｃｏｎｎｅｃｔｉｏｎ  Ｒｅｃｏｎｆｉｇｕｒａｔｉｏｎ」に含める。
【００６３】
ここで、無線基地局ＤｅＮＢは、「ＲＲＣ  Ｃｏｎｎｅｃｔｉｏｎ  Ｒｅｃｏｎｆｉｇｕｒａｔｉｏｎ」に、上述のように決定したリレーノードＲＮ配下のセルで用いるＰＣＩや、ＰＲＡＣＨ-Ｃｏｎｆｉｇや、リレーノードＲＮにおけるＲＳ（Ｒｅｆｅｒｅｎｃｅ  Ｓｉｇｎａｌ）の送信電力や、帯域幅、ＴＡＣや、リレーノードＲＮにおける受信Ｎｏｉｓｅ  Ｆｉｇｕｒｅの少なくとも１つを含めてもよい。
【００６４】
また、無線基地局ＤｅＮＢは、ＲＮ-Ｕｕ無線区間においてＭＢＳＦＮ（ＭＢＭＳ  Ｓｉｎｇｌｅ  Ｆｒｅｑｕｅｎｃｙ  Ｎｅｔｗｏｒｋ）サブフレームの設定を行い、かかる設定結果を「ＲＲＣ  Ｃｏｎｎｅｃｔｉｏｎ  Ｒｅｃｏｎｆｉｇｕｒａｔｉｏｎ」に含めてもよい。
【００６５】
なお、無線基地局ＤｅＮＢは、かかる設定結果を、「ＲＲＣ  Ｃｏｎｎｅｃｔｉｏｎ  Ｒｅｃｏｎｆｉｇｕｒａｔｉｏｎ」の代わりに、新規に規定されたＲＲＣメッセージに含めて送信してもよい。
【００６６】
リレーノードＲＮは、無線基地局ＤｅＮＢに対して、ステップＳ１０１２において、「Ｓｅｃｕｒｉｔｙ  Ｍｏｄｅ  Ｃｏｍｐｌｅｔｅ」を送信し、ステップＳ１０１３において、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００６７】
ステップＳ１０１４において、無線基地局ＤｅＮＢは、移動管理ノードＭＭＥに対して、「Ｉｎｉｔｉａｌ  Ｃｏｎｔｅｘｔ  Ｓｅｔｕｐ  Ｒｅｓｐｏｎｓｅ」を送信する。
【００６８】
ステップＳ１０１５において、リレーノードＲＮは、移動管理ノードＭＭＥに対して、「Ａｔｔａｃｈ  Ｃｏｍｐｌｅｔｅ」を送信する。
【００６９】
ステップＳ１０１６において、リレーノードＲＮは、Ｏ＆Ｍサーバから、設定情報（Ｎｏｄｅ  Ｃｏｎｆｉｇｕｒａｔｉｏｎ）をダウンロードする。
【００７０】
ステップＳ１０１７において、リレーノードＲＮは、無線基地局ＤｅＮＢとの間で、Ｓ１/Ｘ２インターフェイスを確立する。
【００７１】
本実施形態に係る移動通信システムによれば、無線基地局ＤｅＮＢが、周囲の状況等を考慮して、リレーノードＲＮ配下のセルで用いるパラメータを設定することができる。
【００７２】
以上に述べた本実施形態の特徴は、以下のように表現されていてもよい。
【００７３】
本実施形態の第１の特徴は、リレーノードＲＮが無線基地局ＤｅＮＢに接続する接続方法であって、無線基地局ｅＮＢが、リレーノードＲＮに対して、リレーノードＲＮ配下のセルで用いるＰＣＩ、ＰＲＡＣＨ-Ｃｏｎｆｉｇ（物理ランダムアクセスチャネルの設定情報）、リレーノードＲＮにおけるＲＳ（参照信号）の送信電力、帯域幅、ＴＡＣ（トラッキングエリアコード）、及び、リレーノードＲＮにおける受信Ｎｏｉｓｅ  Ｆｉｇｕｒｅ（雑音指数）の少なくとも１つを通知する工程を有することを要旨とする。
【００７４】
本実施形態の第２の特徴は、リレーノードＲＮが接続可能な無線基地局ＤｅＮＢであって、リレーノードＲＮと無線基地局ＤｅＮＢとの接続手順において、リレーノードＲＮに対して、リレーノードＲＮ配下のセルで用いるＰＣＩ、ＰＲＡＣＨ-Ｃｏｎｆｉｇ（物理ランダムアクセスチャネルの設定情報）、リレーノードＲＮにおけるＲＳ（参照信号）の送信電力、帯域幅、ＴＡＣ（トラッキングエリアコード）、及び、リレーノードＲＮにおける受信Ｎｏｉｓｅ  Ｆｉｇｕｒｅ（雑音指数）の少なくとも１つを通知する「ＲＲＣ  Ｃｏｎｎｅｃｔｉｏｎ  Ｒｅｃｏｎｆｉｇｕｒａｔｉｏｎ」或いは新規に規定されたＲＲＣメッセージを送信するように構成されている送信部１５（通知部）を具備することを要旨とする。
【００７５】
なお、上述の移動管理ノードＭＭＥや無線基地局ＤｅＮＢやリレーノードＲＮや移動局ＵＥの動作は、ハードウェアによって実施されてもよいし、プロセッサによって実行されるソフトウェアモジュールによって実施されてもよいし、両者の組み合わせによって実施されてもよい。
【００７６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動管理ノードＭＭＥや無線基地局ＤｅＮＢやリレーノードＲＮや移動局ＵＥ内に設けられていてもよい。また、かかる記憶媒体及びプロセッサは、ディスクリートコンポーネントとして移動管理ノードＭＭＥや無線基地局ＤｅＮＢやリレーノードＲＮや移動局ＵＥ内に設けられていてもよい。
【００７８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７９】
ＵＥ…移動局
ＭＭＥ…移動管理ノード
ＲＮ…リレーノード
ＤｅＮＢ…無線基地局
１１…取得部
１２…管理部
１３…受信部
１４…決定部
１５…送信部
【図１】
0005529674.tif 000002
【図２】
0005529674.tif 000003
【図３】
0005529674.tif 000004
【図４】
0005529674.tif 000005
【図５】
0005529674.tif 000006